(57)【要約】【課題】  ダイヤルキーやファンクションキーを備えた本体部に対して、タッチパネルを備えた表示部がスライド可能となるように構成し、タッチパネルを操作する場合は表示部がダイヤルキーやファンクションキーを隠蔽して操作できない位置に移動させ使用者による誤操作の発生を防ぐことができる電話装置を提供する。【解決手段】  表示部が本体部に対してキー操作手段を隠蔽する第１の位置と、キー操作手段を露出する第２の位置にわたって移動可能とするスライド機構を有し、  前記スライド機構は本体部に設けた可とう性を持つよう形成した摺動片を備えたレール部材と、表示部に設けた前記レール部材をガイドするとともに所定の位置に表示部を停止させるストッパーを備えたガイド部材と、本体部上面に設けたレールとの摩擦力を得るように表示部底面にスプリングを介して設けたスライドパッドで構成した。【選択図】  図１
0003134517.tif 000002
【実用新案登録請求の範囲】
【請求項１】
キー操作手段を備えた本体部とタッチパネルを備えた表示部とを有する端末装置であって、前記表示部が前記本体部に対してキー操作手段を隠蔽する第１の位置と、キー操作手段を露出する第２の位置にわたって移動可能とするスライド機構を有し、前記スライド機構は本体部に設けた可とう性を持つよう形成した摺動片を備えたレール部材と、表示部に設けた前記レール部材をガイドするとともに所定の位置に表示部を停止させるストッパーを備えたガイド部材と、本体部上面に設けたレールとの摩擦力を得るように表示部底面にスプリングを介して設けたスライドパッドで構成したことを特徴とする端末装置。
【考案の詳細な説明】
【技術分野】
【０００１】
本考案は、キー操作手段を備えた本体部とタッチパネルを備えた表示部とを有する端末装置に関し、特に表示部が本体部に対してスライド移動可能な機構を有する端末装置に関する。
【背景技術】
【０００２】
電話機には、その利便性を向上させるために操作面にダイヤルキーと複数のファンクションキーを備えたキー操作手段とタッチパネルを備えた表示器を搭載し、その表示器に表示された表示項目にタッチすることによって自動ダイヤル、リダイヤル、保留等の操作が実行できるものがある。
【０００３】
従来このような電話機の操作面の配置は使用者の手前側にダイヤルキーとファンクションキー（以下キー操作手段と称する）が配置され、奥側に表示器が配置されていた。しかし、この配置では、使用者がタッチパネルにタッチするときにはキー操作手段は通常使用しないので邪魔である。また、表示器の手前部分に搭載されたキー操作手段に不用意に触ってしまい誤動作を発生させる恐れもある。
【０００４】
上記のような誤動作を防止するため、タッチパネルへの操作が必要なときは表示器をキー操作手段の手前側へ移動させて使用できるような構造を持つ電話装置が提案されている。
【０００５】
【特許文献１】特開２０００−３５４０９０号公報
【考案の開示】
【考案が解決しようとする課題】
【０００６】
しかしながら、上記のような電話装置の構造ではタッチパネルを使用する場合は表示器をキー操作手段の手前側の卓上スペースへ移動させなければならないため電話装置が卓上を占有する面積が増大してしまうという問題があった。
【０００７】
本考案は、このような従来の問題点を解決するものであり、表示器をスライド移動可能とするスライド機構を有し、使用者がタッチパネルを操作する場合はキー操作手段を隠蔽してこれらが操作できない位置に移動させ、キー操作手段を使用する場合はこれらを露出して操作可能な位置に移動させることによって使用者による誤動作の発生を防止でき、電話装置が卓上を占有する面積を増大させることのない電話装置を提供する。
【課題を解決するための手段】
【０００８】
キー操作手段を備えた本体部とタッチパネルを備えた表示部とを有する端末装置であって、前記表示部が前記本体部に対してキー操作手段を隠蔽する第１の位置と、キー操作手段を露出する第２の位置にわたって移動可能とするスライド機構を有し、前記スライド機構は本体部に設けた可とう性を持つよう形成した摺動片を備えたレール部材と、表示部に設けた前記レール部材をガイドするとともに所定の位置に表示部を停止させるストッパーを備えたガイド部材と、本体部上面に設けたレールとの摩擦力を得るように表示部底面にスプリングを介して設けたスライドパッドで構成した。
【考案の効果】
【０００９】
したがって、本考案の電話機によればタッチパネルを操作するとき余分なキー操作手段が露出していないので誤動作の恐れがなく、またタッチパネルが使用者の手元にあるので操作が容易である。
また、表示器がキー操作手段の上面へスライドする構造であるため占有面積が増大することがない。
【考案を実施するための最良の形態】
【００１０】
以下、本考案の実施の形態について、図面を参照して詳細に説明する。図１は、本考案の一実施形態における電話装置の表示器が第１の位置へ移動した状態の外形図である。（ａ）は正面図、（ｂ）は側面図である。
図２は、本考案の一実施形態における電話装置の表示器が第２の位置へ移動した状態の外形図である。（ａ）は正面図、（ｂ）は側面図である。
【００１１】
図１及び図２に示すように、本考案の一実施形態における電話装置は、キー操作手段２、送受話器５が備えられ、複数の半導体装置を搭載したプリント配線板１００が内蔵された本体部１と、前記半導体装置からの指示によって所定の情報を表示するタッチパネル付表示器４が備えられた表示部３により構成されている。
表示部３は、後述するスライド機構によって本体部１の表面に沿って図１（ａ）および（ｂ）に示す第１の位置と図２（ａ）および（ｂ）に示す第２の位置にわたってスライド移動可能になされている。
【００１２】
図３は、本考案の一実施形態における電話装置のスライド機構を示す図で、図２（ａ）におけるＡ−Ａ断面図ある。
【００１３】
図３に示すように、本体部１の本体上ケース１１には表示部下ケース３１の両端近傍に形成された一対の貫通穴を貫通してレール部材１２が固定されている。
表示部下ケース３１には一対のガイド部材３２，３３が前記レール部材１２を両側から挟むように固定され、表示部３を第1の位置と第2の位置にわたってガイドする。  
【００１４】
図４は、本考案の一実施形態における電話装置のレール部材１２の正面図および側面図である。
図５は、本考案の一実施形態における電話装置のガイド部材３２，３３におけるガイド部材３２の正面図およびＡ−Ａ断面図である。なお、ガイド部材３２と３３は対称形に形成されている。
図６は、スライド機構の詳細を示す図で、図２（ａ）におけるＢ−Ｂ断面図ある。図６においてレール部材１２およびガイド部材３２、３３で構成されるスライドガイド機構の詳細な構造が示されている。
図６に示すｗ寸法はガイド部材３２、３３の左右ガイド面３２ｂ、３３ｂが構成する左右ガイド幅寸法である。
【００１５】
図４に示すようにレール部材１２の凹部１２ａの幅は図５に示すガイド部材３２の上下ガイド部３２ａの幅寸法ｈよりも若干大きいｈ１となるように形成し、レール部材１２の両端部にはその幅を前記ｈ寸法よりも若干狭いｈ２とし、さらに可とう性を持つよう形成した上下摺動片１２ｂを構成してある。すなわち前記各寸法の関係はｈ１＞ｈ＞ｈ２の順に形成されている。これによりレール部材１２の上下摺動片１２ｂがガイド部材３２，３３の上下ガイド部３２ａ、３３ａを挟み込んだときレール部材１２の上下摺動片１２ｂの幅ｈ２寸法は若干広げられガイド部材３２，３３の上下ガイド部３２ａ、３３ａを上下から加圧するので、レール部材１２の上下摺動片１２ｂとガイド部材３２，３３の上下ガイド部３２ａ、３３ａとのがたつきが吸収され、表示部３のスムースなスライド移動が可能となる。また上下摺動片１２ｂの先端部分を半円状として上下ガイド部３２ａ、３３ａとの接触が線接触となるよう形成したので塵埃環境下においても摺動の安定性が確保できる。
【００１６】
上記と同様に、図４に示すようにレール部材１２の側面１２ｃには可とう性を持つよう形成した左右摺動片１２ｄ，１２ｅを構成してある。また、図６に示すようにガイド部材３２，３３は左右ガイド面３２ｂと３３ｂ間の寸法がｗとなるように固定される。すなわち、上記各部材は図４および図６に示すｗ、ｗ１、ｗ２各寸法の関係がｗ２＞ｗ＞ｗ１の順となるように形成してある。これによりレール部材１２の左右摺動片１２ｄ，１２ｅがガイド部材３２の左右ガイド面３２ｂ、３３ｂに挟み込まれた時レール部材１２の左右摺動片１２ｄ，１２ｅがガイド部材３２の左右ガイド面３２ｂ、３３ｂを左右から加圧するので、レール部材１２の左右摺動片１２ｄ，１２ｅとガイド部材３２の左右ガイド面３２ｂ、３３ｂとのがたつきが吸収され、表示部３のスムースなスライド移動が可能となる。またレール部材１２の左右摺動片１２ｄ，１２ｅの先端部分を半円状として左右ガイド面３２ｂ、３３ｂとの接触が線接触となるよう形成したので塵埃環境下においても摺動の安定性が確保できる。
【００１７】
また、図５に示すように、ガイド部材３２、３３の所定の位置に凸状のストッパー３２ｃ、３３ｃを形成したので、表示部３がキー操作手段を露出して操作可能となる第２の位置へ移動した場合にレール部材１２の左右摺動片１２ｄ，１２ｅが変形して前記ストッパー３２ｃ、３３ｃを乗り越えることで表示部３を所定の位置で確実に停止させることが可能となる。
【００１８】
図６において本考案の一実施形態における電話装置のスライドパッド部３４の構造が示されている。
【００１９】
次に本考案の一実施形態における電話装置のスライドパッド部３４の構造および作用を説明する。
図６に示すように、スライドパッド部３４は表示部３に設けたスライドパッド収納部３４ａに加圧スプリング３４ｂを介してスライドパッド３４ｃが取り付けられた構成を備えている。スライドパッド３４ｃは適当な摩擦係数を持ち温度、経時変化等に対して安定した特性を維持する例えばシリコンゴムで表面を形成することが好ましい。
加圧スプリング３４ｂはその自由長から圧縮された状態でスライドパッド収納部３４ａの底部とスライドパッド３４ｃの凹部が作る空間に取付けられる。したがって、スライドパッド３４ｃは加圧スプリング３４ｂの反発力による加圧力を加えられているので、本体上ケース１１の中央部表面に形成した凸状断面を持つ摺動レール１３との間で適度な摩擦力が発生し第１の位置と第２の位置にわたって移動する場合に使用者が途中の任意の位置で手を離しても表示部がその位置にとどまっていることが出来る。
【００２０】
従来は、スライドパッド３４ｃは加圧スプリング３４ｂを介せず表示部下ケース３１に直接固定されていたため、スライドパッド３４ｃおよび摺動レール１３の磨耗により摩擦力が低下してしまい表示部を任意の位置へ停止させることが出来なくなるという問題があったが、本考案によれば加圧スプリング３４ｂを介して取り付けることによってスライドパッド３４ｃおよび摺動レール１３が磨耗してもその磨耗分を加圧スプリング３４ｂの反発力によって吸収可能となり磨耗による摩擦力の低下を防止し、長期間にわたって安定した摩擦力を維持することが出来る。
【００２１】
以上好ましい実施の形態について説明したが、上記実施の形態は本考案の一例示に過ぎず考案の範囲内で構成を変更することができる。例えば、ガイド部材をレール部材の両側からガイドするよう２本の構成としたが、どちらか片方で構成しても同様の作用、効果が得られることは明白である。
【図面の簡単な説明】
【００２２】
【図１】は、本考案の一実施形態における電話装置の表示器が第１の位置へ移動した状態の外形図である。（ａ）は正面図、（ｂ）は側面図である。
【図２】は、本考案の一実施形態における電話装置の表示器が第２の位置へ移動した状態の外形図である。（ａ）は正面図、（ｂ）は側面図である。
【図３】は図２（ａ）における拡大したＡ−Ａ断面図である。
【図４】は、本考案の一実施形態における電話装置のレール部材１２を示す図である。（ａ）は正面図、（ｂ）は側面図である。
【図５】は、本考案の一実施形態における電話装置のガイド部材３２を示す図である。（ａ）は正面図、（ｂ）はＡ−Ａ断面図である。
【図６】は、図２（ａ）におけるＢ−Ｂ断面図である。
【符号の説明】
【００２３】
１  本体部
１１  本体上ケース
１２  レール部材
１２ａ  レール部材の凹部
１２ｂ  上下摺動片
１２ｃ  側面
１２ｄ，１２ｅ  左右摺動片
１３  摺動レール
２  キー操作手段
３  表示部
３１  表示部下ケース
３２，３３  ガイド部材
３２ａ，３３ａ  上下ガイド部
３２ｂ，３３ｂ  左右ガイド面
３２ｃ，３３ｃ  ストッパー
３４  スライドパッド部
３４ａ  スライドパッド収納部
３４ｂ  加圧スプリング
３４ｃ  スライドパッド
４  タッチパネル付表示器
５  送受話器
１００  プリント配線板
【図１】
0003134517.tif 000003
【図２】
0003134517.tif 000004
【図３】
0003134517.tif 000005
【図４】
0003134517.tif 000006
【図５】
0003134517.tif 000007
【図６】
0003134517.tif 000008